(57)【要約】      （修正有）【課題】所持している限られた工具の中で調整できる可能性が高まり、新たな工具を手配する必要がなくなる圧力調整器の調整ねじおよび圧力調整器を提供する。【解決手段】流入したガスの出口圧力を回転軸回りに回転することで調整する圧力調整器の調整ねじ３３は、少なくとも２種類の工具が係合する突起部６２を有し、突起部６２は、調整ねじ３３を回転軸回りに回転させる工具のうちの一の工具と接触する複数の接触面６３ａからなる外周６３と、一の工具と異なる他の工具であって調整ねじ３３を回転軸回りに回転させる他の工具が挿入され、かつ他の工具と接触する複数の接触面６４ａで構成される空間部６４とを有する。【選択図】図３
0003206005.tif 000002
【実用新案登録請求の範囲】
【請求項１】
流入したガスの出口圧力を回転軸回りに回転することで調整する圧力調整器の調整ねじであって、
前記調整ねじは、少なくとも２種類の工具が係合する突起部を有し、
前記突起部は、前記調整ねじを回転軸回りに回転させる前記工具のうちの一の工具と接触する複数の接触面からなる外周と、前記一の工具と異なる他の工具であって前記調整ねじを回転軸回りに回転させる前記他の工具が挿入され、かつ前記他の工具と接触する複数の接触面で構成される空間部とを有することを特徴とする圧力調整器の調整ねじ。
【請求項２】
前記外周は、六角形の形状を有し、
前記空間部は、前記六角形の内周を有することを特徴とする請求項１に記載の圧力調整器の調整ねじ。
【請求項３】
前記外周は、六角形の形状を有し、
前記空間部は、回転軸方向に直交する直交方向に延在するスリットであることを特徴とする請求項１に記載の圧力調整器の調整ねじ。
【請求項４】
ガス流入口とガス流出口との間を連通する調圧室と、
前記ガス流入口から前記調圧室に流入するガスの流量を調整する開閉弁と、
前記調圧室を大気と隔てる隔壁の一部を構成するダイアフラムと、
前記ダイアフラムを前記調圧室側に付勢する調圧機構と、
前記ダイアフラムの動きに応じて前記開閉弁を開閉するリンク機構とを備え、
前記調圧機構は、前記ダイアフラムへの付勢力を調整する調整ねじを備え、
前記調整ねじは、少なくとも２種類の工具が係合する突起部を有し、
前記突起部は、前記調整ねじを回転軸回りに回転させる前記工具のうちの一の工具と接触する複数の接触面からなる外周と、前記一の工具と異なる他の工具であって前記調整ねじを回転軸回りに回転させる前記他の工具が挿入され、かつ前記他の工具と接触する複数の接触面で構成される空間部とを有することを特徴とする圧力調整器。
【考案の詳細な説明】
【技術分野】
【０００１】
本考案は、圧力調整器の調整ねじおよび圧力調整器に関する。
【背景技術】
【０００２】
従来、流入したガスの出口圧力を調整する圧力調整器では、例えば、大気圧室と調圧室とを仕切るダイアフラムに加わるガスの圧力と当該圧力に対向する位置に設置された調圧ばねの荷重とのバランスによりガスの出口圧力を調整している。このような圧力調整器では、調整ねじを回転軸回りに回転させることで調圧ばねの荷重を変更して、ガスの出口圧力を調整している。
【考案の概要】
【考案が解決しようとする課題】
【０００３】
上記調整ねじには、例えば、ボックスレンチ等の工具が係合する六角形状の突起部を有するものと、ボックスレンチ等の工具とは異なる六角レンチ等の工具が係合する六角形状の孔を有するものなど複数種類がある。そのため、作業員が圧力調整器のガスの出口圧力の調整作業を行う場合、形状が異なる複数種類の調整ねじに対応するために、新たな工具を手配したり、複数種類の工具を持参しなければならない。
【０００４】
本考案は、上記に鑑みてなされたものであって、所持している限られた工具の中で調整できる可能性が高まり、新たな工具を手配する必要がなくなる圧力調整器の調整ねじおよび圧力調整器を提供することを目的とする。
【課題を解決するための手段】
【０００５】
上記目的を達成するために、本考案に係る圧力調整器の調整ねじは、流入したガスの出口圧力を回転軸回りに回転することで調整する圧力調整器の調整ねじであって、前記調整ねじは、少なくとも２種類の工具が係合する突起部を有し、前記突起部は、前記調整ねじを回転軸回りに回転させる前記工具のうちの一の工具と接触する複数の接触面からなる外周と、前記一の工具と異なる他の工具であって前記調整ねじを回転軸回りに回転させる前記他の工具が挿入され、かつ前記他の工具と接触する複数の接触面で構成される空間部とを有することを特徴とする。
【０００６】
また、上記圧力調整器の調整ねじでは、前記外周は、六角形の形状を有し、前記空間部は、前記六角形の内周を有することが好ましい。
【０００７】
また、上記圧力調整器の調整ねじでは、前記外周は、六角形の形状を有し、前記空間部は、回転軸方向に直交する直交方向に延在するスリットであることが好ましい。
【０００８】
上記目的を達成するために、本考案に係る圧力調整器は、ガス流入口とガス流出口との間を連通する調圧室と、前記ガス流入口から前記調圧室へのガスの流入を調整する開閉弁と、前記調圧室を大気と隔てる隔壁の一部を構成するダイアフラムと、前記ダイアフラムを前記調圧室側に付勢する調圧機構と、前記ダイアフラムの動きに応じて前記開閉弁を開閉するリンク機構とを備え、前記調圧機構は、前記ダイアフラムへの付勢力を調整する調整ねじを備え、前記調整ねじは、少なくとも２種類の工具が係合する突起部を有し、前記突起部は、前記調整ねじを回転軸回りに回転させる前記工具のうちの一の工具と接触する複数の接触面からなる外周と、前記一の工具と異なる他の工具であって前記調整ねじを回転軸回りに回転させる前記他の工具が挿入され、かつ前記他の工具と接触する複数の接触面で構成される空間部とを有することを特徴とする。
【考案の効果】
【０００９】
本考案に係る圧力調整器の調整ねじおよび圧力調整器によれば、調整ねじを回転軸回りに回転させる工具のうちの一の工具と接触する複数の接触面からなる外周面と、当該一の工具と異なる他の工具であって調整ねじを回転軸回りに回転させる他の工具が挿入され、かつ他の工具と接触する複数の接触面で構成される空間部とを有する突起部が形成されている。これにより、調整ねじが少なくとも２種類の工具が係合する突起部を有するので、作業員が圧力調整器でガスの出口圧力を調整する際に、所持している限られた工具の中で調整できる可能性が高まり、新たな工具を手配する必要がなくなる。
【図面の簡単な説明】
【００１０】
【図１】図１は、実施形態１に係る圧力調整器の外観を示す斜視図である。
【図２】図２は、図１に示すＡＡの縦断面図である。
【図３】図３は、実施形態１に係る圧力調整器の調整ねじの概略構成を示す斜視図である。
【図４】図４は、実施形態２に係る圧力調整器の調整ねじの概略構成を示す斜視図である。
【図５】図５は、実施形態３に係る圧力調整器の調整ねじの概略構成を示す斜視図である。
【図６】図６は、実施形態４に係る圧力調整器の調整ねじの概略構成を示す斜視図である。
【図７】図７は、実施形態５に係る圧力調整器の調整ねじの概略構成を示す斜視図である。
【考案を実施するための形態】
【００１１】
以下に、本考案の実施形態に係る圧力調整器の調整ねじおよび圧力調整器を図面を参照して詳細に説明する。なお、下記実施形態により本考案が限定されるものではない。また、下記実施形態における構成要素には、いわゆる当業者が置換可能かつ容易なもの、あるいは実質的に同一のものが含まれる。
【００１２】
［実施形態１］
図１は、実施形態１に係る圧力調整器の外観を示す斜視図である。図２は、図１に示すＡＡの縦断面図である。図３は、実施形態１に係る圧力調整器の調整ねじの概略構成を示す斜視図である。
【００１３】
以下の説明において、圧力調整器の調整ねじの回転軸方向を「回転軸方向」とし、当該回転軸方向と直交する方向を「直交方向」とし、当該直交方向のうち、圧力調整器のガスの流出経路に沿った方向を「流出方向」とする。なお、図１、図２において、流出方向の入口側については「入口方向」とし、出口側については「出口方向」とする。
【００１４】
図１、図２に示す圧力調整器１は、ガス供給源の高い圧力のガスをガス供給先の使用に適した低い圧力に減圧する圧力調整器であり、ガスの圧力の変動を抑えて安定したガス供給を実現するものである。圧力調整器１は、入口方向に高圧のガスを貯留するボンベ等のガス容器（不図示）が接続され、出口方向にガスを燃焼させるコンロ等の燃焼器（不図示）が接続される。
【００１５】
図２において、圧力調整器１は、本体部２１と、調圧機構３と、ダイアフラム４と、リンク機構２３とを含んで構成される。圧力調整器１は、一例として、プロパンガス等を主成分としたＬＰＧ（Ｌｉｑｕｅｆｉｅｄ  Ｐｅｔｒｏｌｅｕｍ  Ｇａｓ：液化石油ガス）を調圧する単段式調整器であるものとして説明するがこれに限られない。
【００１６】
本体部２１は、圧力調整器１を構成する各部が設けられる本体である。ここでは、本体部２１は、入力金具２０、開閉弁機構２２、リンク機構２３、調圧室２４、ダイアフラム４、および調圧機構３が設けられる。本体部２１は、流出方向の入口側の端部に入口金具２０に螺合する本体ねじ部２１ａを備え、出口側の端部に調圧室２４と連通するガス流出口２１ｂを備える。本体部２１は、入口方向の本体部２１と入力金具２０との間に開閉弁機構２２が設けられており、開閉弁機構２２とダイアフラム４とがリンク機構２３により連結されている。本体部２１は、内部に中空状に形成された調圧室２４を備え、当該調圧室２４の回転軸方向には、ダイアフラム４を挟んで対向する位置に調圧機構３が設けられている。
【００１７】
入口金具２０は、流出方向の出口側の端部が本体部２１に接続され、入口側の端部が、例えば高圧ホース等に接続され、当該高圧ホース等を介してガス容器からガスが流入する部分である。入口金具２０は、開閉弁機構２２を介して調圧室２４に連通するガス流入口２０ａと、本体部２１に螺合する金具ねじ部２０ｂと、ノズル部４０とを備える。ノズル部４０は、開閉弁機構２２を構成し、ガス流入口２０ａに流入したガスが噴き出す部分である。
【００１８】
開閉弁機構２２は、金具ねじ部２０ｂと本体ねじ部２１ａとの螺合締結により入力金具２０と本体部２１とが一体化されると、ガス流入口２０ａから調圧室２４に流入するガスの流量を調整する開閉弁機構として機能する。開閉弁機構２２は、入力金具２０側に設けられたノズル部４０と、硬質ゴム等の耐久弾性材からなる弁座４１と、流出方向に摺動可能に支持されたピストン４２とで構成される。ピストン４２は、流出方向の一方の端部には、ノズル部４０と対向するように、弁座４１が設けられ、他方の端部には、当該ピストン４２の流出方向の摺動をリンク機構２３に伝達する受動ピン５２が取り付けられている。
【００１９】
リンク機構２３は、作動棹５４、レバー５１、およびピストン４２がダイアフラム４と弁座４１とを連結してダイアフラム４の変位に応じて弁座４１をノズル部４０の解放位置との間で移動させる弁駆動機構として機能する。リンク機構２３は、ピボットピン５０と、レバー５１と、受動ピン５２と、Ｕ字溝５３と、作動棹５４と、レバー係合孔５５とを含んで構成される。レバー５１は、流出方向の一方の端部がピボットピン５０により回動可能に支持され、流出方向の他方に延びるアームの先に形成されたレバー係合孔５５が作動棹５４の調圧室２４側の端部に係合する。また、レバー５１は、ピボットピン５０による支持部から回転軸方向にＵ字溝５３が形成されている。受動ピン５２は、弁座４１が設けられた端部とは反対側の端部に取り付けられ、レバー５１のＵ字溝５３に係合している。作動棹５４は、ダイアフラム４の中央部に回転軸方向に沿って当該ダイアフラム４を貫通して連結される。
【００２０】
調圧室２４は、本体部２１内に形成され、ガス流出口２１ｂと連通する調圧空間部である。調圧室２４は、開閉弁機構２２から流入したガスを、カバー部３６内に設けられた調圧機構３の作用によって減圧して流出口２１ｂから排出する。調圧室２４は、本体部２１およびダイアフラム４を含んで構成される隔壁により大気と隔絶されている。
【００２１】
ダイアフラム４は、隣接する調圧室２４を大気と隔てる隔壁の一部を構成し、調圧室２４内のガスの圧力変化に応じて変位する部分である。ダイアフラム４は、円環板状に形成され、外周側の縁部がカバー部３６と本体部２１との間に挟持され保持される。ダイアフラム４は、調圧室２４内の圧力変化に応じて変形し回転軸方向に変位する。ダイアフラム４は、作動桿５４、レバー５１、ピストン４２等を介して弁座４１と連結される。
【００２２】
調圧機構３は、回転軸方向にダイアフラム４に付勢する付勢力を調整する部分である。調圧機構３は、調圧ばね３０と、ばね受け座３１と、調圧ねじ部３２と、調整ねじ３３と、キャップ３４と、通気路３５と、大気圧室３７と、破損防止ばね３８とを含んで構成される。調圧ばね３０は、ダイアフラム４を調圧室２４側に付勢する弾性体である。調圧ばね３０は、大気圧室３７内に設けられたばね受け座３１と調整ねじ３３との間に保持される。調圧ばね３０は、ダイアフラム４と同軸上に設けられている。調圧ねじ部３２は、カバー部３６の円筒部３６ａの内側に形成された雌ねじである。調整ねじ３３は、調圧ねじ部３２に螺合し、流入したガスの出口圧力を回転軸回りに回転することで調整する。調整ねじ３３の詳細については後述する。キャップ３４は、調整ねじ３３を外部から保護するために円筒部３６ａに被せられている。通気路３５は、円筒部３６ａの外周面とキャップ３４の内周面との間に構成される大気圧導入路であり、円筒部３６ａにキャップ３４が被せられている状態でも、通気路３５を介してカバー部３６内の大気圧室３７に大気圧が導入される。破損防止ばね３８は、作動棹５４と協働して調圧室２４を保護するための安全弁として機能する。調圧室２４内のガスの圧力が規定圧力になった場合に、破損防止ばね３８と作動棹５４とにより、ガスの一部を大気に放出して調圧室２４を一定以下の圧力に保つ。
【００２３】
圧力調整器１は、ダイアフラム４に作用する調圧室２４内のガス圧と、調圧ばね３０の付勢力とのバランスにより動作する。例えば、調圧室２４内のガス圧が設定圧よりも低い場合はリンク機構２３により開閉弁機構２２の開度を開き、逆に、調圧室２４内のガス圧が設定圧よりも高い場合は開閉弁機構２２の開度を絞り、調圧室２４に流入するガス流量を調整して調圧室２４内のガス圧を設定圧に保持する。
【００２４】
実施形態１における調整ねじ３３は、図３に示すように、ねじ本体部６０と、調圧ねじ部６１と、突起部６２とを有する。ねじ本体部６０は、外周面に調圧ねじ部６１が形成されている。調圧ねじ部６１は、円筒部３６ａの調圧ねじ部３２に螺合するように雄ねじが形成されている。突起部６２は、ねじ本体部６０から回転軸方向に突起し、２種類の工具が係合するように形成されている。具体的には、突起部６２は、調整ねじ３３を回転軸回りに回転させる一の工具と接触する６つの接触面６３ａからなる外周６３と、当該一の工具と異なる他の工具と接触する６つの接触面６４ａで構成される空間部６４とを有する。外周６３は、回転軸方向に六角形の形状を有する。空間部６４は、６つの接触面６４ａで構成される六角形の内周７０を有する。この空間部６４は、突起部６２およびねじ本体部６０を回転軸方向に貫通するように形成されることが好ましい。
【００２５】
上記構成を有する圧力調整器１において、調整ねじ３３によりガスの出口圧力を調整する調整作業について説明する。作業員は、キャップ３４を外して、ボックスレンチ（不図示）のソケット部を突起部６２に係合させる。その結果、当該ボックスレンチのソケット部の内周面と突起部６２の外周６３の接触面６３ａとが接触する。作業員は、ボックスレンチを回転軸回りに回転することで調整ねじ３３を回転軸回りに回転させる。一方、作業員が、ボックスレンチとは異なる六角レンチを所持していた場合、キャップ３４を外して、当該六角レンチのヘッド部を突起部６２に係合させる。その結果、六角レンチのヘッド部と空間部６４の内周７０（６つの接触面６４ａ）とが接触する。作業員は、六角レンチを回転軸回りに回転することで調整ねじ３３を回転軸回りに回転させる。
【００２６】
以上説明したように、圧力調整器１の調整ねじ３３は、２種類の工具が係合する突起部６２を有し、突起部６２は、調整ねじ３３を回転軸回りに回転させる工具のうちの一の工具と接触する複数の接触面６３ａからなる外周６３と、一の工具と異なる他の工具であって調整ねじ３３を回転軸回りに回転させる他の工具が挿入され、かつ他の工具と接触する複数の接触面６４ａで構成される空間部６４とを有する。
【００２７】
上記構成を有する圧力調整器１の調整ねじ３３および圧力調整器１によれば、調整ねじ３３を回転軸回りに回転させる工具のうちの一の工具と接触する複数の接触面６３ａからなる外周面６３と、当該一の工具と異なる他の工具であって調整ねじ３３を回転軸回りに回転させる他の工具が挿入され、かつ他の工具と接触する複数の接触面６４ａで構成される空間部６４とを有する突起部６２が形成されている。これにより、調整ねじ３３が２種類の工具が係合する突起部６２を有するので、作業員が圧力調整器１でガスの出口圧力を調整する際に、所持している限られた工具の中で調整できる可能性が高まり、新たな工具を手配する必要がなくなる。
【００２８】
また、圧力調整器１の調整ねじ３３および圧力調整器１によれば、調整ねじ３３の突起部６２が複数の接触面６４ａで構成される空間部６４を有するので、従来の六角形の形状を有する突起部に比べて、空間部６４に相当する部分の材料費を削減することができる。
【００２９】
また、圧力調整器１の調整ねじ３３および圧力調整器１によれば、調整ねじ３３の突起部６２に形成された空間部６４の回転軸方向の底面（または回転軸方向の上面）の寸法を、標準化された六角レンチの寸法と同一に設定することで、突起部６２と係合する六角レンチとの適応性が向上し、専用工具の入手が不要となる。
【００３０】
また、圧力調整器１の調整ねじ３３および圧力調整器１によれば、外周６３が六角形の形状を有し、空間部６４が六角形の内周７０を有する。これにより、調整ねじ３３の突起部６２が異なる種類の工具と係合することが可能となり、作業員が圧力調整器１でガスの出口圧力を調整する際に、従来のボックスレンチまたは六角レンチのいずれか１種類の工具を所持していれば調整作業が可能となる。
【００３１】
［実施形態２]
図４は、実施形態２に係る圧力調整器の調整ねじの概略構成を示す斜視図である。実施形態２に係る圧力調整器の調整ねじは、突起部の形状が実施形態１とは異なるのみであり、上述した実施形態と共通する構成、作用、効果についてはその説明を省略する（以下の実施形態３〜５についても同様である。）。
【００３２】
実施形態２における調整ねじ３３０は、図４に示すように、ねじ本体部６０と、調圧ねじ部６１と、突起部６２０とを有する。突起部６２０は、ねじ本体部６０から回転軸方向に突起し、２種類の工具が係合するように形成されている。具体的には、突起部６２０は、調整ねじ３３０を回転軸回りに回転させる一の工具と接触する６つの接触面６３ａからなる外周６３と、当該一の工具と異なる他の工具と接触する２つの接触面６５ａで構成される空間部６５とを有する。この空間部６５は、外周６３のうち、一方の辺から直交方向に対向する他方の辺に貫通させたスリット（溝）である。
【００３３】
次に、圧力調整器１において、調整ねじ３３０によりガスの出口圧力を調整する調整作業について説明する。作業員は、キャップ３４を外して、ボックスレンチ（不図示）のソケット部を突起部６２０に係合させる。その結果、当該ボックスレンチのソケット部の内周面と突起部６２０の外周６３の接触面６３ａとが接触する。作業員は、ボックスレンチを回転軸回りに回転することで調整ねじ３３０を回転軸回りに回転させる。一方、作業員が、ボックスレンチとは異なるマイナスドライバ（不図示）を所持していた場合、キャップ３４を外して、当該マイナスドライバのヘッド部を突起部６２０に係合させる。その結果、マイナスドライバのヘッド部と空間部６５を構成する２つの接触面６５ａとが接触する。作業員は、マイナスドライバを回転軸回りに回転することで調整ねじ３３０を回転軸回りに回転させる。
【００３４】
実施形態２に係る圧力調整器１の調整ねじ３３０および圧力調整器１によれば、外周６３が六角形の形状を有し、空間部６５が回転軸方向に直交する直交方向に延在するスリットである。これにより、調整ねじ３３０の突起部６２０が異なる種類の工具と係合することが可能となり、作業員が圧力調整器１でガスの出口圧力を調整する際に、従来のボックスレンチまたはマイナスドライバのいずれか１種類の工具を所持していれば調整作業が可能となる。
【００３５】
実施形態２では、空間部６５は、外周６３のうち、一方の辺から直交方向に対向する他方の辺に貫通させたスリットとしているが、これに限定されず、貫通しない形状のスリットも含まれる。
【００３６】
［実施形態３］
図５は、実施形態３に係る圧力調整器の調整ねじの概略構成を示す斜視図である。実施形態３における調整ねじ３３１は、図５に示すように、ねじ本体部６０と、調圧ねじ部６１と、突起部６２１とを有する。突起部６２１は、ねじ本体部６０から回転軸方向に突起し、２種類の工具が係合するように形成されている。具体的には、突起部６２１は、調整ねじ３３１を回転軸回りに回転させる一の工具と接触する６つの接触面６３ａからなる外周６３と、当該一の工具と異なる他の工具と接触する複数の接触面６６ａで構成される空間部６６とを有する。空間部６６は、回転軸方向に形成された十字溝である。この十字溝は、ねじ本体部６０を回転軸方向に貫通する十字孔であってもよい。また、この十字溝は、十字に交差する溝のうち、少なくとも一つの溝が直交方向に突起部６２１を貫通する構成であってもよい。
【００３７】
次に、圧力調整器１において、調整ねじ３３１によりガスの出口圧力を調整する調整作業について説明する。作業員は、キャップ３４を外して、ボックスレンチ（不図示）のソケット部を突起部６２１に係合させる。その結果、当該ボックスレンチのソケット部の内周面と突起部６２１の外周６３の接触面６３ａとが接触する。作業員は、ボックスレンチを回転軸回りに回転することで調整ねじ３３１を回転軸回りに回転させる。一方、作業員が、ボックスレンチとは異なるプラスドライバ（不図示）を所持していた場合、キャップ３４を外して、当該プラスドライバのヘッド部を突起部６２１に係合させる。その結果、プラスドライバのヘッド部と空間部６６を構成する複数の接触面６６ａとが接触する。作業員は、プラスドライバを回転軸回りに回転することで調整ねじ３３１を回転軸回りに回転させる。
【００３８】
実施形態３に係る圧力調整器１の調整ねじ３３１および圧力調整器１によれば、外周６３が六角形の形状を有し、空間部６６が回転軸方向に形成された十字溝である。これにより、調整ねじ３３１の突起部６２１が異なる種類の工具と係合することが可能となり、作業員が圧力調整器１でガスの出口圧力を調整する際に、従来のボックスレンチまたはプラススドライバのいずれか１種類の工具を所持していれば調整作業が可能となる。
【００３９】
［実施形態４］
図６は、実施形態４に係る圧力調整器の調整ねじの概略構成を示す斜視図である。実施形態４における調整ねじ３３２は、図３に示す調整ねじ３３の突起部６２にスリットが追加されたものである。調整ねじ３３２の突起部６２２は、３種類の工具が係合するように形成されている。具体的には、突起部６２２は、図３に示す外周６３および空間部６４に加えて、外周６３のうち、一方の辺から直交方向に対向する他方の辺に貫通させたスリット状の空間部６５を有する。
【００４０】
次に、圧力調整器１において、調整ねじ３３２によりガスの出口圧力を調整する調整作業について説明する。作業員は、キャップ３４を外して、ボックスレンチ（不図示）のソケット部を突起部６２２に係合させる。その結果、当該ボックスレンチのソケット部の内周面と突起部６２２の外周６３の接触面６３ａとが接触する。作業員は、ボックスレンチを回転軸回りに回転することで調整ねじ３３２を回転軸回りに回転させる。一方、作業員が、ボックスレンチとは異なる六角レンチ（不図示）を所持していた場合、キャップ３４を外して、当該六角レンチのヘッド部を突起部６２２に係合させる。その結果、六角レンチのヘッド部と空間部６４の内周７０（６つの接触面６４ａ）とが接触する。作業員は、六角レンチを回転軸回りに回転することで調整ねじ３３２を回転軸回りに回転させる。他方、作業員が、ボックスレンチおよび六角レンチと異なるマイナスドライバ（不図示）を所持していた場合、キャップ３４を外して、当該マイナスドライバのヘッド部を突起部６２２に係合させる。その結果、マイナスドライバのヘッド部と、空間部６５を構成する２つの接触面６５ａのそれぞれとが接触する。作業員は、マイナスドライバを回転軸回りに回転することで調整ねじ３３２を回転軸回りに回転させる。
【００４１】
実施形態４に係る圧力調整器１の調整ねじ３３２および圧力調整器１によれば、六角形の形状を有する外周６３と、六角形の内周７０を有する空間部６４と、外周６３のうち、一方の辺から直交方向に対向する他方の辺に向けて貫通させたスリット状の空間部６５とを備える。これにより、調整ねじ３３２の突起部６２２が異なる種類の工具と係合することが可能となり、作業員が圧力調整器１でガスの出口圧力を調整する際に、従来のボックスレンチまたは六角レンチまたはマイナスドライバのいずれか１種類の工具を所持していれば調整作業が可能となる。
【００４２】
［実施形態５］
図７は、実施形態５に係る圧力調整器の調整ねじの概略構成を示す斜視図である。実施形態５における調整ねじ３３３は、図６に示す調整ねじ３３２の突起部６２２に、図５に示す十字溝（または十字孔）の空間部６６を追加したものである。調整ねじ３３３の突起部６２３は、４種類の工具が係合するように形成されている。具体的には、突起部６２３は、図３に示す外周６３および空間部６４、図６に示す空間部６５に加えて、空間部６４の回転軸方向の底面に、図５に示す十字溝（または十字孔）６６を有する。
【００４３】
次に、圧力調整器１において、調整ねじ３３３によりガスの出口圧力を調整する調整作業について説明する。作業員は、キャップ３４を外して、ボックスレンチ（不図示）のソケット部を突起部６２３に係合させる。その結果、当該ボックスレンチのソケット部の内周面と突起部６２３の外周６３の接触面６３ａとが接触する。作業員は、ボックスレンチを回転軸回りに回転することで調整ねじ３３３を回転軸回りに回転させる。一方、作業員が、ボックスレンチとは異なる六角レンチ（不図示）を所持していた場合、キャップ３４を外して、当該六角レンチのヘッド部を突起部６２３に係合させる。その結果、六角レンチのヘッド部と空間部６４の内周７０（６つの接触面６４ａ）とが接触する。作業員は、六角レンチを回転軸回りに回転することで調整ねじ３３３を回転軸回りに回転させる。他方、作業員が、ボックスレンチとは異なるマイナスドライバ（不図示）を所持していた場合、キャップ３４を外して、当該マイナスドライバのヘッド部を突起部６２３に係合させる。その結果、マイナスドライバのヘッド部と、空間部６５を構成する２つの接触面６５ａのそれぞれとが接触する。作業員は、マイナスドライバを回転軸回りに回転することで調整ねじ３３３を回転軸回りに回転させる。さらに、作業員が、ボックスレンチ、六角レンチ、マイナスドライバとは異なるプラスドライバ（不図示）を所持していた場合、キャップ３４を外して、当該プラスドライバのヘッド部を突起部６２３に係合させる。その結果、プラスドライバのヘッド部と空間部６６を構成する複数の接触面６６ａとが接触する。作業員は、プラスドライバを回転軸回りに回転することで調整ねじ３３３を回転軸回りに回転させる。
【００４４】
実施形態５に係る圧力調整器１の調整ねじ３３３および圧力調整器１によれば、六角形の形状を有する外周６３と、六角形の内周７０を有する空間部６４と、外周６３のうち、一方の辺から直交方向に対向する他方の辺に向けて貫通させたスリット状の空間部６５と、回転軸方向に形成された十字溝（または十字孔）の空間部６６とを備える。これにより、調整ねじ３３３の突起部６２３が異なる種類の工具と係合することが可能となり、作業員が圧力調整器１でガスの出口圧力を調整する際に、従来のボックスレンチまたは六角レンチまたはマイナスドライバまたはプラスドライバのいずれか１種類の工具を所持していれば調整作業が可能となる。
【００４５】
なお、上記実施形態では、六角形の外周６３と内周７０とで構成された突起部６２，６２０〜６２３について説明したが、外周および内周の形状はこれらに限定されるものではなく、六角形以外の多角形であってもよい。
【００４６】
また、上記実施形態では、調整ねじ３３，３３０〜３３３の調圧ねじ部６１の一部を回転軸方向に切削加工してＤカット状に成形してもよい。
【００４７】
また、図４、図５に示す調整ねじ３３０，３３１では、空間部６５，６６が回転軸方向に貫通するように形成されていないが、通気孔として、当該空間部６５，６６の底面から回転軸方向に貫通孔を有する構成であってもよいし、ねじ本体部６０の上面から回転軸方向に貫通孔を有する構成であってもよい。
【符号の説明】
【００４８】
１  圧力調整器
３  調圧機構
４  ダイアフラム
２１  本体部
２２  開閉弁機構
２３  リンク機構
２４  調圧室
３０  調圧ばね
３３  調整ねじ
３７  大気圧室
６０  ねじ本体部
６１  調圧ねじ部
６２  突起部
６３  外周
【図１】
0003206005.tif 000003
【図２】
0003206005.tif 000004
【図３】
0003206005.tif 000005
【図４】
0003206005.tif 000006
【図５】
0003206005.tif 000007
【図６】
0003206005.tif 000008
【図７】
0003206005.tif 000009